(57)【要約】      （修正有）【課題】蓋等の部品を開けることなく、集塵状況を容易に認識できる卓上クリーナーを提供する。【解決手段】ダストケース部５の底面５１に設けられた吸引口５２から、基台部３に取り付けられたスパイラルファン２を回転させて消しゴムのかす等のゴミを吸入し、基台部３の側面３３には複数の排気口３４が設けられ、排気口３４にはフィルター部４のフィルター４３が設けられて、吸引された空気はフィルター４３、排気口３４を通って排出されるものの、ゴミはダストケース部５に留まり、更にダストケース部５が透明素材で形成され、集塵状況を確認できる。【選択図】図５
0003227588.tif 000002
【実用新案登録請求の範囲】
【請求項１】
卓上クリーナーであって、
空気を吸入するファンと、
電池及び駆動モーターを搭載する表面と、前記ファンが前記駆動モーターで動作するよう取り付けられる裏面と、前記ファンの動作空間を確保し、空気の排出口を備える側面とを備える基台部と、
前記排出口から排出される空気をフィルタリングするフィルター部と、
底面に吸引口を備え、吸入したゴミを収納する透明素材のケース部とを有することを特徴とする卓上クリーナー。
【請求項２】
フィルター部を透明素材で構成したことを特徴とする請求項１記載の卓上クリーナー。
【請求項３】
ケース部は、吸引口が底面中央に形成され、前記吸引口を中心に放射状に複数のブラシが設けられていることを特徴とする請求項１又は２記載の卓上クリーナー。
【請求項４】
フィルター部は、基台部の裏面に着脱可能に固定され、
ケース部は、前記基台部の側面下部に着脱可能に接続し、
蓋部は、前記基台部の側面上部に着脱可能に接続することを特徴とする請求項１乃至３のいずれか記載の卓上クリーナー。
【考案の詳細な説明】
【技術分野】
【０００１】
本考案は、机又はテーブル等の上で使用される卓上クリーナーに係り、特に、消しゴムかす等のゴミの集塵状況を容易に認識できる卓上クリーナーに関する。
【背景技術】
【０００２】
［従来の技術］
従来の卓上クリーナーは、電池駆動のものがあり、形状も様々である。
尚、基本的な構造として、卓上の消しゴムかす等のゴミを収集し、収納して、排出する機構を備えるものである。
【０００３】
［関連技術］
尚、関連する先行技術として、実用新案登録第３０８６８１８号公報「卓上クリーナー」（特許文献１）、実用新案登録第３１９９１６３号公報「卓上掃除機」（特許文献２）がある。
【０００４】
特許文献１には、卓上のゴミを電池駆動のファンを回転させて吸い込み、ゴミを収集すると共に、吸入した空気を排気孔から排出する卓上クリーナーが示されている。尚、当該卓上クリーナーは、円柱状とはなっていない。
【０００５】
特許文献２には、円柱形状で、吸入した空気を排気する場合に、排気空気を風向制御壁に一度当てて上方向に変更して放出する卓上掃除機が示されている。
【先行技術文献】
【特許文献】
【０００６】
【特許文献１】実用新案登録第３０８６８１８号公報
【特許文献２】実用新案登録第３１９９１６３号公報
【考案の概要】
【考案が解決しようとする課題】
【０００７】
しかしながら、従来の卓上クリーナーでは、収集したゴミの状態を確認するためには、何らかの部品を取り外さなければならず、ゴミの集塵状況を容易に認識できないという問題点があった。
【０００８】
尚、特許文献１，２には、集塵状況を容易に認識できる構成について記載がない。
【０００９】
本考案は上記実情に鑑みて為されたもので、蓋等の部品を開けることなく、集塵状況を容易に認識できる卓上クリーナーを提供することを目的とする。
【課題を解決するための手段】
【００１０】
上記従来例の問題点を解決するための本考案は、卓上クリーナーであって、空気を吸入するファンと、電池及び駆動モーターを搭載する表面と、ファンが駆動モーターで動作するよう取り付けられる裏面と、ファンの動作空間を確保し、空気の排出口を備える側面とを備える基台部と、排出口から排出される空気をフィルタリングするフィルター部と、底面に吸引口を備え、吸入したゴミを収納する透明素材のケース部とを有することを特徴とする。
【００１１】
本考案は、上記卓上クリーナーにおいて、フィルター部を透明素材で構成したことを特徴とする。
【００１２】
本考案は、上記卓上クリーナーにおいて、ケース部が、吸引口が底面中央に形成され、吸引口を中心に放射状に複数のブラシが設けられていることを特徴とする。
【００１３】
本考案は、上記卓上クリーナーにおいて、フィルター部が、基台部の裏面に着脱可能に固定され、ケース部が、基台部の側面下部に着脱可能に接続し、蓋部が、基台部の側面上部に着脱可能に接続することを特徴とする。
【考案の効果】
【００１４】
本考案によれば、ファンが空気を吸入し、基台部が、電池及び駆動モーターを搭載する表面と、ファンが駆動モーターで動作するよう取り付けられる裏面と、ファンの動作空間を確保し、空気の排出口を備える側面とを備え、フィルター部が排出口から排出される空気をフィルタリングし、ケース部が、底面に吸引口を備え、吸入したゴミを収納し、透明素材で形成されている卓上クリーナーとしているので、集塵状況を容易に認識できる効果がある。
【図面の簡単な説明】
【００１５】
【図１】本クリーナーの斜視図である。
【図２】本クリーナーの正面図である。
【図３】本クリーナーの側面図である。
【図４】本クリーナーの底面図である。
【図５】本クリーナーの断面説明図である。
【考案を実施するための形態】
【００１６】
本考案の実施の形態について図面を参照しながら説明する。
［実施の形態の概要］
本考案の実施の形態に係る卓上クリーナー（本クリーナー）は、底面に設けられた吸引口からファンで消しゴムのかす等のゴミを吸入し、側面には複数の排気口が設けられ、当該排気口にはフィルターが設けられ、ゴミを収納する底面のケース部を透明素材で形成したものであり、これにより、ケース部での集塵状況を容易に確認できるものである。
【００１７】
［本クリーナー：図１〜５］
本クリーナーについて図１〜５を参照しながら説明する。図１は、本クリーナーの斜視図であり、図２は、本クリーナーの正面図であり、図３は、本クリーナーの側面図であり、図４は、本クリーナーの底面図であり、図５は、本クリーナーの断面説明図である。
【００１８】
本クリーナーは、図１〜５に示すように、蓋部１と、スパイラルファン（ファン）２と、スパイラルファン２が設けられた基台部３と、フィルター部４と、ダストケース部（ケース部）５とを基本的に有している。
【００１９】
基台部３は、電池６と駆動モーター７が表面３１に搭載され、スパイラルファン２が裏面３２に取り付けられ、空気の排出口３４が形成された側面３３を備える。
フィルター部４は、排出空気をフィルタリングする。
ダストケース部５は、底面５１に吸引口５２を備え、ゴミ（ダスト）等を収納する。
【００２０】
［本クリーナーの各部］
本クリーナーの各部について図１〜５を用いて具体的に説明する。
［蓋部１］
蓋部１は、中空の円柱形状で平面と側面を備えるものの底面がなく、基台部３の表面３１上の電池６と駆動モーター７を覆うように基台部３に着脱可能に固定される。着脱可能としたのは、電池６を交換するためである。
【００２１】
具体的には、蓋部１の側面下側の端部が、基台部３の側面３３上側の端部にはめ込まれて固定される。従って、蓋部１の側面の内径が基台部３の側面３３上側の端部の外径と同じ程度になっており、基台部３の側面３３上側の端部の外径に、蓋部１の側面下側の端部の内径がはめ込まれて固定される。
尚、蓋部１と基台部３とを化粧品の容器のように回転式の開閉構造としてもよい。
【００２２】
［スパイラルファン２］
スパイラルファン２は、基台部３の裏面３２中央に取り付けられている。
そして、スパイラルファン２は、駆動モーター７で駆動し、回転することで、ダストケース部５の吸引口５２から空気を吸引し、卓上のゴミを集塵するものである。
【００２３】
［基台部３］
基台部３は、中空の円柱形状で底面がなく、円形の表面３１と裏面３２、筒状の側面３３を備えている。
表面３１には、スパイラルファン２を駆動する駆動モーター７が搭載され、更に電源となる電池６が２個搭載されている。電池６は交換可能となっている。
裏面３２には、中央にスパイラルファン２が取り付けられている。
【００２４】
側面３３には、複数の排出口３４が形成されており、スパイラルファン２で吸引した空気を排出するものである。
更に、側面３３には、駆動モーター７の動作をオン（ＯＮ）／オフ（ＯＦＦ）するスイッチ３５が設けられている。スイッチ３５は、スライドスイッチになっている。
【００２５】
［フィルター部４］
フィルター部４は、基台部３とダストケース部５との間に設けられる内部部品であり、透明素材又は白色のプラスチック等で形成され、底面４１と側面４２を備えている。
具体的には、フィルター部４は、ダストケース部５又は基台部３の内側面に着脱可能に固定される。図５では、基台部３の裏面３２の凹部にフィルター部４の上端が差し込まれるようにして固定されている。
【００２６】
また、フィルター部４は、基台部３の側面３３に形成された排出口３４に対応する部分の側面４２にネット状のフィルター４３が形成されている。
フィルター４３は、スパイラルファン２で吸引した空気を排出するが、吸い込んだゴミを通過させず、排出させない構成となっている。ゴミは、ダストケース部５の底面に落下する。
【００２７】
また、底面４１の中央にはダストケース部５の中央に形成された吸引口５２に対応する吸引穴が形成されている。
つまり、ダストケース部５の吸引口５２から吸引された空気は、フィルター部４の底面４１の吸引穴を通り、更に側面４２のフィルター４３、基台部３の側面３３の排出口３４を通って、外部に放出される。
【００２８】
［ダストケース部５］
ダストケース部５は、透明素材のプラスチック等で形成され、ゴミの集塵状況を容易に確認できるものとなっている。
ダストケース部５は、底面５１と側面５３とから構成され、底面５１の中央に空気及び消しゴムのかす等のゴミを吸引する吸引口５２が形成されている。
【００２９】
また、ダストケース部５の底面５１には、ナイロンのブラシ５４が複数形成されている。
ブラシ５４は、吸引口５２を中心に放射状に複数形成されている。当該ブラシ５４によって卓上から消しゴムのかす等を引き剥がし、吸引口５２に吸引しやすくしている。
【００３０】
また、基台部３の側面３３の下側端部が、ダストケース部５の側面５３の上側端部の内側にはめ込まれて着脱可能に固定される。
更に、側面３３には、基台部３の側面３３から取り外しやすくする取り外し部（プッシュ部）５５が設けられている。
【００３１】
プッシュ部５５は、図３の「ＰＵＳＨ」の文字の上側の基台部３方向（内側方向）に凸形状のツメを有しており、対応する基台部３には溝が形成され、ダストケース部５が基台部３に固定されている状態では、プッシュ部５５のツメが基台部３の溝にはめ込まれて固定されている。
【００３２】
そして、プッシュ部５５の文字の下側の矢印部分を押すと、ツメが溝から離れ（外れ）、更にダストケース部５を引き下げると、基台部３からダストケース部５が容易に取り外せるようになっている。
【００３３】
［本クリーナーの動作］
次に、本クリーナーの動作について説明する。
本クリーナーの基台部３の側面３３に設けられたスイッチ３５をオフの状態からオンの状態に切り替えると、駆動モーター７が駆動してスパイラルファン２を回転させ、ダストケース部５の底面５１の吸引口５２から吸引が開始される。
【００３４】
卓上で本クリーナーを動かしながら、ブラシ５４で消しゴムのかす等を吸引口５２に導き、本クリーナーの内部に取り込む。
本クリーナーに吸引された空気は、フィルター部４のフィルター４３から基台部３の側面３３に形成された排出口３４から外部に放出されるが、吸引されたゴミはフィルター４３を通過せずダストケース部５内に留まり、集塵される。
基台部３の側面３３に設けられたスイッチ３５をオフ状態にして集塵作業を終了する。
【００３５】
集塵された状況は、ダストケース部５とフィルター部４が透明素材で形成されているので容易に認識でき、ダストケース部５のプッシュ部５５を押して基台部３からダストケース部５を取り外し、ゴミを取り出して掃除を行う。
また、駆動モーター７を駆動する電池６の容量がなくなれば、蓋部１を基台部３から取り外し、電池６を新しいものと交換する。
【００３６】
［実施の形態の効果］
本クリーナーによれば、ダストケース部５の底面５１に設けられた吸引口５２から基台部３に取り付けられたスパイラルファン２を回転させて消しゴムのかす等のゴミを吸入し、基台部３の側面３３には複数の排気口３４が設けられ、排気口３４にはフィルター部４のフィルター４３が設けられて、吸引された空気はフィルター４３、排気口３４を通って排出され、ゴミはダストケース部５に留まり、更にダストケース部５が透明素材で形成されているので、ダストケース部５内に集塵されている様子を容易に認識でき、適切な時期にゴミを取り出して掃除を行うことができる効果がある。
【００３７】
また、本クリーナーによれば、フィルター部４も透明素材で形成すれば、更に集塵状況を容易に認識できる効果がある。
【産業上の利用可能性】
【００３８】
本考案は、蓋等の部品を開けることなく、集塵状況を容易に認識できる卓上クリーナーに好適である。
【符号の説明】
【００３９】
１…蓋部、  ２…スパイラルファン、  ３…基台部、  ４…フィルター部、  ５…ダストケース部、  ６…電池、  ７…駆動モーター、  ３１…表面、  ３２…裏面、  ３３…側面、  ３４…排出口、  ３５…スイッチ、  ４１…底面、  ４２…側面、  ４３…フィルター、  ５１…底面、  ５２…吸引口、  ５３…側面、  ５４…ブラシ、  ５５…取り外し部（プッシュ部）
【図１】
0003227588.tif 000003
【図２】
0003227588.tif 000004
【図３】
0003227588.tif 000005
【図４】
0003227588.tif 000006
【図５】
0003227588.tif 000007